(57)【特許請求の範囲】
【請求項１】
電柱に設置される高圧開閉器であって、
内部に各種の部品を収納する筐体を備え、
当該筐体は、上面が傾斜しかつ内部に中空部が形成されている２層構造の屋根部と、当該屋根部における前記上面の下り傾斜側の端部に接続されている側面部とを有し、
前記中空部に封入される有色の液体を更に備えることを特徴とする高圧開閉器。
【請求項２】
前記有色の液体は、蛍光塗料であることを特徴とする請求項１記載の高圧開閉器。
【請求項３】
電柱に設置される高圧開閉器であって、
内部に各種の部品を収納する筐体を備え、
当該筐体は、上面が傾斜しかつ内部に中空部が形成されている２層構造の屋根部と、当該屋根部における前記上面の下り傾斜側の端部に接続されている側面部とを有し、
前記中空部に封入される水溶性の着色部材を更に備えることを特徴とする高圧開閉器。
【請求項４】
前記水溶性の着色部材は、水溶性ゲル状素材からなることを特徴とする請求項３記載の高圧開閉器。
【発明の詳細な説明】
【技術分野】
【０００１】
本発明は、柱上に設置される高圧開閉器に関する。
【背景技術】
【０００２】
柱上に設置される高圧開閉器に事故が発生した場合には、配電線事故に進展して近隣の需要家に送電できなくなるおそれがある。このため、事故が発生した高圧開閉器、あるいは故障する可能性が高い高圧開閉器を早期に発見する必要がある。
【０００３】
そこで、従来、特許文献１に記載された技術が提案されている。特許文献１には、開閉器の内部の数カ所において、本体と上蓋との間に色彩塗料を収容した収容袋を取り付ける。そして、開閉器内に短絡事故が発生した場合に、アーク熱で内部圧力が急上昇することにより、上蓋が変形するとともに収容袋が破れることによって、色彩塗料が外部に噴出して本体表面を着色する。この着色によって、開閉器の内部事故を表示する、といった技術について記載されている。
【先行技術文献】
【特許文献】
【０００４】
【特許文献１】実開昭５３−１２１４５８号公報
【発明の概要】
【発明が解決しようとする課題】
【０００５】
ところで、高圧開閉器における事故の原因の一つとして、外装にひびが入ったり、孔が形成されたりした場合に、そのひびや孔から高圧開閉器内に雨水が進入することあげられる。通常、高圧開閉器は、電柱等の高所に設けられており、高圧開閉器の側部及び下部の状態については、作業員が地上から確認することができる。しかしながら、高圧開閉器の上部については作業員が地上から確認することが極めて困難である。
【０００６】
ここで、高圧開閉器の上部においては、雨水がケーブルあるいは装柱部材等を伝って、高圧開閉器の上部の定点に雨水が当たる、という現象が起き易い。その現象が長期間にわたって雨天の度に繰り返されると、高圧開閉器の上部に孔が形成されるおそれがある。孔が形成されると、その孔から更に雨水が浸入して、高圧開閉器の内部が浸水するようになり、その結果、開閉器不良となって配電線事故に進展してしまうおそれがある。
【０００７】
本発明は、このような問題を解決し、柱上の高圧開閉器上部の劣化状況を地上から目視確認することを可能にし、故障の可能性がある開閉器の早期発見を実現した高圧開閉器を提供することを目的とする。
【課題を解決するための手段】
【０００８】
前記目的を達成するため、本発明は、次に記載する構成を備えている。
【０００９】
（１）  電柱に設置される高圧開閉器であって、内部に各種の部品を収納する筐体を備え、当該筐体は、上面が傾斜しかつ内部に中空部が形成されている２層構造の屋根部と、当該屋根部における前記上面の下り傾斜側の端部に接続されている側面部とを有し、前記中空部に封入される有色の液体を更に備えることを特徴とする高圧開閉器。
【００１０】
（１）によれば、高圧開閉器の上部が劣化して孔が形成された場合に、この孔から有色の液体が流れ出し、高圧開閉器の上面から側面に流下することにより、高圧開閉器の側面が有色の液体によって着色される。この着色によって、高圧開閉器に故障の可能性があることを報知することができる。
【００１１】
（２）  （１）において、前記有色の液体は、蛍光塗料であることを特徴とする高圧開閉器。
【００１２】
（２）によれば、夜間においても高圧開閉器に故障の可能性があることを報知することができる。
【００１３】
（３）  電柱に設置される高圧開閉器であって、内部に各種の部品を収納する筐体を備え、当該筐体は、上面が傾斜しかつ内部に中空部が形成されている２層構造の屋根部と、当該屋根部における前記上面の下り傾斜側の端部に接続されている側面部とを有し、前記中空部に封入される水溶性の着色部材を更に備えることを特徴とする高圧開閉器。
【００１４】
（３）によれば、高圧開閉器の上部が劣化して孔が形成された場合に、この孔から雨水が浸入するが、浸入した雨水は、水溶性の着色部材を溶かすことによって着色される。そして、着色された雨水が、孔から高圧開閉器の屋根部の上面を通って側面に流下することにより、高圧開閉器の側面が着色される。この着色によって、高圧開閉器に故障の可能性があることを報知することができる。
【００１５】
（４）  （３）において、前記水溶性の着色部材は、水溶性ゲル状素材からなることを特徴とする高圧開閉器。
【００１６】
（４）によれば、水溶性の着色部材が水分を含んでいるため、浸入した雨水によって溶け易くなる。
【発明の効果】
【００１７】
本発明によれば、柱上の高圧開閉器における上部の劣化状況を地上から目視確認することが可能になり、故障の可能性がある開閉器の早期発見が可能になる。
【図面の簡単な説明】
【００１８】
【図１】本発明の一実施形態における高圧開閉器１の外観を示す斜視図である。
【図２】図１の高圧開閉器１の側面図を示す図である。
【図３】屋根部１０ａの側面側の内部構造を示す断面図である。
【図４】高圧開閉器１の上面に孔５０が形成された場合の高圧開閉器１の外観を示す斜視図である。
【図５】電柱１００に設置した高圧開閉器１から塗料が流出した状態を示す斜視図である。
【図６】本発明の一実施形態における高圧開閉器１の変形例の内部構造を示す断面図である。
【図７】本発明の一実施形態における高圧開閉器１の変形例の外観を示す斜視図である。
【発明を実施するための形態】
【００１９】
以下、本発明の実施形態について、図面を参照しながら詳細に説明する。
【００２０】
図１は本発明の一実施形態における高圧開閉器１の外観を示す斜視図、図２は高圧開閉器１の側面図である。
【００２１】
高圧開閉器１は、柱上に設置され、筐体１０と、接続端子１２と、指針１４とを備えている。
【００２２】
筐体１０は、高圧開閉器１を構成する各種の部材を収納するものであり、上面が傾斜している略直方体の部材である。なお、上面に連結している４つの側面において、特に、上面における下り傾斜側の端辺に接続している側面を正面、上面における傾斜方向の上り傾斜側の端辺に接続している側面を背面と称することにする。このように、筐体１０の正面を形成する板材が、側面部に相当する。
【００２３】
接続端子１２は、筐体１０における台形の両側面にそれぞれ３つずつ設けられている。一方の側面の接続端子には電源側の線路が接続され、他方の側面の接続端子には負荷側の線路が接続される。
【００２４】
また、筐体１０の内部には、図示しない開閉機構が設けられている。この開閉機構は、筐体１０の一方の側面に設けた接続端子１２と筐体１０の他方の側面に設けた接続端子１２との間を電気的に接続する閉状態及び電気的接続を切断する開状態に切り替えるものである。
【００２５】
指針１４は、筐体１０の正面に設けられ、開閉機構に連動して、開閉機構が開状態であるか閉状態であるかを指し示すものである。図１においては、指針１４が「入」を指し示しているため、開閉機構は閉状態である。
【００２６】
また、図２に示すように、筐体１０は、上部に屋根部１０ａを備えており、屋根部１０ａの外面、言い換えれば筐体１０の上面は、背面側から正面側に向かって下り傾斜している。また、屋根部１０ａの正面側の端部は、筐体１０の正面から突出していない。このため、雨天の場合に、筐体１０の上面の雨水は、上面の傾斜に沿って流下し、更に、筐体１０の正面に沿って流下する。
【００２７】
図３は、屋根部１０ａの側面側の内部構造を示す断面図である。屋根部１０ａは、互いに対向する上層１０ｂと下層１０ｃとを有する２層構造であり、この上層１０ｂと下層１０ｃとの間に中空部１０ｄが形成されている。この中空部１０ｄは密閉空間である。なお、以下の説明において、筐体１０の上面を高圧開閉器１の上面と称する場合もある。
【００２８】
中空部１０ｄには、有色の液体に相当する塗料２０が封入されている。塗料２０としては、中空部１０ｄ内で固まりにくい性質を有するもの、例えば、油性塗料が望ましく、特に、蛍光塗料であることが望ましい。また、塗料２０の色としては、視認し易い色であることが望ましく、筐体１０の色に応じて適宜設定可能である。
【００２９】
図４は、高圧開閉器１の上面に孔５０が形成された場合の高圧開閉器１の外観を示す斜視図である。雨天において筐体１０の上面の定点に雨水が当たることが、長期間にわたって雨天の度に繰り返されると、筐体１０の上面に孔５０が形成されるおそれがある。図４に示すように、筐体１０の上面に孔５０が形成されると、中空部１０ｄに封入されている塗料２０が孔５０から外部に流れ出す。そして、塗料２０は、筐体１０の上面の傾斜に沿って正面側に流下し、更に筐体１０の正面を流下する。これにより、筐体１０の上面及び正面の一部が塗料２０によって着色される。
【００３０】
図５は、電柱１００に設置した高圧開閉器１から塗料が流出した状態を示す斜視図である。高圧開閉器１は、図１に示すように、電柱１００の最上部に配置されかつ電線を支持する高圧腕金１１０に設置されている。ここで、高圧開閉器１は、電柱１００に対して高圧開閉器１の正面が道路側を向くように設置されている。これにより、高圧開閉器１の上面は、道路側を向かって下り傾斜する。
【００３１】
そして、高圧開閉器１の上面に孔５０（図４参照）が形成されると、その孔５０（図４参照）から塗料２０が流れ出し、図５に示すように、高圧開閉器１の正面の一部をライン状に着色する。作業員は、高圧開閉器１の正面の一部がライン状に着色されていることを地上から視認することにより、高圧開閉器１の上面に孔５０（図４参照）が形成されたことを早期に把握することができる。
【００３２】
このように、本技術の高圧開閉器１は、塗料２０の流出による筐体１０の着色によって、高圧開閉器１に故障の可能性があることを報知することが可能になり、電柱上の高圧開閉器上部の劣化状況を地上から目視確認することが可能になる。特に、塗料２０が蛍光塗料の場合には、夜間でも高圧開閉器上部の劣化状況を地上から目視確認することが可能になる。
【００３３】
なお、図３に示す屋根部１０ａの構成によれば、屋根部１０ａの上層１０ｂと下層１０ｃとが平行であり、ともに傾斜しているが、例えば、図６に示すように、下層１０ｃは傾斜させずに水平にしてもよい。これにより、中空部１０ｄの容積を大きくすることが可能になり、中空部１０ｄに封入する塗料２０の量を確保することが可能になる。
【００３４】
また、図１に示す高圧開閉器１の上面は一つの傾斜面からなるが、それに限らず、例えば、図７に示すように、屋根部１０ａを四角錐状に構成し、高圧開閉器１の上面が四つの傾斜面からなるようにしてもよい。これにより、高圧開閉器１の上面に形成される孔の位置に応じて塗料２０の流下方向及び高圧開閉器１の正面の着色位置が変わってくるため、高圧開閉器１の４つの側面の着色位置から高圧開閉器１の上面に形成された孔の位置を容易に推測することが可能になる。また、筐体１０における正面と背面の矩形形状を同一にすることが可能になるため、筐体１０の作成を容易にすることが可能になる。
【００３５】
また、図３に示す屋根部１０ａによれば、内部に着色された液体の塗料２０を封入しているが、それに限らず、着色された水溶性の着色部材を封入してもよい。これにより、高圧開閉器１の上面に孔が空いた場合に、その孔から雨水が浸入するが、浸入した雨水は、ゲル状素材を溶かすことによって着色された後、一部が孔から流出して高圧開閉器１の上面及び正面を流下する。これにより、高圧開閉器１の正面の一部がライン状に着色される。そして、作業員は、高圧開閉器１の着色を視認することにより、高圧開閉器１の上面に孔が形成されたことを把握することができる。なお、水溶性の着色部材はゲル状素材であることが望ましい。ゲル状素材は水分を多く含んでいるため、浸入した雨水によって溶け易くなる。
【００３６】
以上、説明したように構成された本実施形態によれば、高圧開閉器１の上部が劣化して孔５０が形成された場合に、この孔５０から塗料２０、あるいは水溶性のゲル状素材によって着色された雨水が流れ出し、高圧開閉器の屋根の上面から高圧開閉器の正面に流下することにより、高圧開閉器の正面が着色される。この着色によって、高圧開閉器に故障の可能性があることを報知することができる。
【００３７】
また、塗料２０は、蛍光塗料であることにより、夜間においても高圧開閉器に故障の可能性があることを報知することができる。
【００３８】
以上、本発明の実施形態について説明したが、本発明は、上述した実施形態に限るものではない。例えば、屋根部１０ａの内部に着色された水溶性のゲル状素材を封入する際に、若干のエアを充填することにより、中空部１０ｄの内圧を若干高めておいてもよい。これにより、高圧開閉器の上部が劣化して孔５０が形成された場合に、少量のゲル状素材が噴出して屋根部１０ａの上面に付着することによって、孔の周囲を流れる雨水を着色することが可能なる。また、高圧開閉器に形成された孔５０から水溶性のゲル状素材が、孔５０より上方のゲル状素材から受ける圧力によって徐々に孔５０から流下するように、水溶性のゲル状素材の粘度を設定してもよい。これにより、孔５０から流下したゲル状素材によって孔の周囲を流れる雨水を着色することが可能になる。
【符号の説明】
【００３９】
１  高圧開閉器
１０  筐体
１０ａ  屋根部
１０ｂ  上層
１０ｃ  下層
１０ｄ  中空部
１２  接続端子
１４  指針
２０  塗料
５０  孔
１００  電柱
１１０  高圧腕金
【図１】
0005497128.tif 000002
【図２】
0005497128.tif 000003
【図３】
0005497128.tif 000004
【図４】
0005497128.tif 000005
【図５】
0005497128.tif 000006
【図６】
0005497128.tif 000007
【図７】
0005497128.tif 000008